(57)【要約】【課題】液晶バックライトの明るさ調整において、色度の変化を抑えつつ安定した調光を可能として輝度のダイナミックレンジを広くする。【解決手段】実施形態は、表示画面内を水平、垂直方向に分割した複数のエリア毎に発光素子を配列し発光させて輝度を調整するバックライトに対し、複数のエリアそれぞれについて、映像信号に基づいて前記バックライトの複数のエリアそれぞれについて輝度を計算し、前記映像信号を元に算出された輝度が第１の閾値以上の場合には、前記発光素子に対して、１フレーム期間中の駆動電流を固定して点灯時間を算出された輝度に応じて制御し、前記輝度が前記第１の閾値に満たない場合には、前記発光素子に対して、１フレーム期間中の前記点灯時間を固定して前記駆動電流を算出された輝度に応じて制御する。【選択図】図１
2017076027.tif 000002
【特許請求の範囲】
【請求項１】
表示画面内に縦横に複数の液晶セルを配列した液晶表示パネルと、
前記液晶表示パネルの背面に配置され、前記表示画面内を水平、垂直方向に複数のエリアに分割し、エリア毎に配列した発光素子を発光させて輝度を調整するバックライトと、
映像信号を入力して前記液晶表示パネルの各セルに前記映像信号の各画素に対応する駆動信号を供給して各セルの透過量を制御する液晶駆動部と、
前記映像信号に基づいて前記バックライトの複数のエリアそれぞれについて輝度を計算し、その輝度に相当する明るさとなるように前記発光素子を駆動するバックライト駆動部と
を具備し、
前記バックライト駆動部は、複数のエリアそれぞれについて、前記映像信号を元に算出された輝度が第１の閾値以上の場合には、前記発光素子に対して、１フレーム期間中の駆動電流を固定して、点灯時間を算出された輝度に応じて制御し、前記輝度が前記第１の閾値に満たない場合には、前記発光素子に対して、１フレーム期間中の前記点灯時間を固定して、前記駆動電流を算出された輝度に応じて制御する液晶表示装置。
【請求項２】
前記バックライト駆動部は、さらに、複数のエリアそれぞれについて、前記映像信号を元に算出された輝度が前記第１の閾値より高い第２の閾値以上となった場合には、前記発光素子に対して、１フレーム期間中の前記点灯時間を固定して前記駆動電流を算出された輝度に応じて制御する請求項１記載の液晶表示装置。
【請求項３】
前記バックライト駆動部は、さらに、前記複数のエリアそれぞれについて計算された輝度から全エリアの消費電力を算出し、前記消費電力が規定の電源容量未満の状態で、複数のエリアそれぞれについて、前記映像信号を元に算出された輝度が前記第１の閾値より高い第２の閾値以上となるとき、１フレーム期間中の前記点灯時間を固定して前記駆動電流を算出された輝度に応じて制御する請求項１記載の液晶表示装置。
【請求項４】
表示画面内に縦横に複数の液晶セルを配列した液晶表示パネルと、前記液晶表示パネルの背面に配置され、前記表示画面内を水平、垂直方向に複数のエリアに分割し、エリア毎に配列した発光素子を発光させて輝度を調整するバックライトと、テレビ放送受信番組の映像信号を入力して前記液晶表示パネルの各セルに前記映像信号の各画素に対応する駆動信号を供給して各セルの透過量を制御する液晶駆動部と、前記映像信号に基づいて前記バックライトの複数のエリアそれぞれについて輝度を計算し、その輝度に相当する明るさとなるように前記発光素子を駆動するバックライト駆動部とを具備する液晶表示装置を用いるテレビジョン受像機であって、
前記バックライト駆動部は、複数のエリアそれぞれについて、前記映像信号を元に算出された輝度が第１の閾値以上の場合には、前記発光素子に対して、１フレーム期間中の駆動電流を固定して、点灯時間を算出された輝度に応じて制御し、前記輝度が前記第１の閾値に満たない場合には、前記発光素子に対して、１フレーム期間中の前記点灯時間を固定して、前記駆動電流を算出された輝度に応じて制御するテレビジョン受像機。
【請求項５】
前記バックライト駆動部は、さらに、複数のエリアそれぞれについて、前記映像信号を元に算出された輝度が前記第１の閾値より高い第２の閾値以上となった場合には、前記発光素子に対して、１フレーム期間中の前記点灯時間を固定して前記駆動電流を算出された輝度に応じて制御する請求項４記載のテレビジョン受像機。
【請求項６】
前記バックライト駆動部は、さらに、前記複数のエリアそれぞれについて計算された輝度から全エリアの消費電力を算出し、前記消費電力が規定の電源容量未満の状態で、複数のエリアそれぞれについて、前記映像信号を元に算出された輝度が前記第１の閾値より高い第２の閾値以上となるとき、１フレーム期間中の前記点灯時間を固定して前記駆動電流を算出された輝度に応じて制御する請求項４記載のテレビジョン受像機。
【請求項７】
表示画面内に縦横に複数の液晶セルを配列した液晶表示パネルと、前記液晶表示パネルの背面に配置され、前記表示画面内を水平、垂直方向に複数のエリアに分割し、エリア毎に配列した発光素子を発光させて輝度を調整するバックライトとを備え、映像信号を入力して前記液晶表示パネルの各セルに前記映像信号の各画素に対応する駆動信号を供給して各セルの透過量を制御する液晶表示装置に用いられ、
複数のエリアそれぞれについて、前記映像信号に基づいて前記バックライトの複数のエリアそれぞれについて輝度を計算し、前記映像信号を元に算出された輝度が第１の閾値以上の場合には、前記発光素子に対して、１フレーム期間中の駆動電流を固定して１フレーム期間中の点灯時間を算出された輝度に応じて制御し、前記輝度が前記第１の閾値に満たない場合には、前記発光素子に対して、１フレーム期間中の前記点灯時間を固定して前記駆動電流を算出された輝度に応じて制御する液晶バックライト制御方法。
【請求項８】
さらに、複数のエリアそれぞれについて、前記映像信号を元に算出された輝度が前記第１の閾値より高い第２の閾値以上となった場合には、前記発光素子に対して、１フレーム期間中の前記点灯時間を固定して前記駆動電流を算出された輝度に応じて制御する請求項７記載の液晶バックライト制御方法。
【請求項９】
さらに、前記複数のエリアそれぞれについて計算された輝度から全エリアの消費電力を算出し、前記消費電力が規定の電源容量未満の状態で、複数のエリアそれぞれについて、前記映像信号を元に算出された輝度が前記第１の閾値より高い第２の閾値以上となるとき、１フレーム期間中の前記点灯時間を固定して前記駆動電流を算出された輝度に応じて制御する請求項７記載の液晶バックライト制御方法。
【発明の詳細な説明】
【技術分野】
【０００１】
本発明は、液晶表示装置、テレビジョン受像機及び液晶バックライト制御方法に関する。
【背景技術】
【０００２】
近年、テレビジョン受像機に用いられる液晶表示装置にあっては、高輝度、高コントラストを特徴とするハイダイナミックレンジ技術が注目を集めている。特に、ハイダイナミックレンジ表示を行うには、バックライト制御技術が重要となってくる。現在、バックライト制御方法では、ＬＥＤ（Light Emitting Diode）が使用されることが多く、画面内を縦横に分割し、エリア毎に明るさの調整を行う方式がある。ＬＥＤの明るさの調整方法としては、対応するエリアの映像データの平均輝度に応じて、１フレーム期間中のＬＥＤの点灯時間を制御する方法、ＬＥＤの駆動電流を制御する方法などがある。
【先行技術文献】
【特許文献】
【０００３】
【特許文献１】特開２００２−３２４６８５号公報
【特許文献２】特開２０１３−０６２１９２号公報
【発明の概要】
【発明が解決しようとする課題】
【０００４】
ところで、ＬＥＤによる液晶バックライトの明るさ調整において、１フレーム期間内のＬＥＤの点灯時間を制御する方法では、点灯時間が短くなるに従って安定した輝度での調光が難しくなるといった課題がある。また、ＬＥＤの駆動電流を制御する方法では、電流値の変化が大きいと色度の変化が大きくなるといった課題がある。
【０００５】
この実施形態の目的は、ＬＥＤによる液晶バックライトの明るさ調整において、色度の変化を抑えつつ安定した調光を可能とし、これによって輝度のダイナミックレンジを広くすることのできる液晶表示装置、テレビジョン受像機及び液晶バックライト制御方法を提供することにある。
【課題を解決するための手段】
【０００６】
実施形態に係る液晶表示装置は、表示画面内に縦横に複数の液晶セルを配列した液晶表示パネルと、前記液晶表示パネルの背面に配置され、前記表示画面内を水平、垂直方向に複数のエリアに分割し、エリア毎に配列した発光素子を発光させて輝度を調整するバックライトと、映像信号を入力して前記液晶表示パネルの各セルに前記映像信号の各画素に対応する駆動信号を供給して各セルの透過量を制御する液晶駆動部と、前記映像信号に基づいて前記バックライトの複数のエリアそれぞれについて輝度を計算し、その輝度に相当する明るさとなるように前記発光素子を駆動するバックライト駆動部とを具備する。前記バックライト駆動部は、複数のエリアそれぞれについて、前記入力映像信号を元に算出された輝度が第１の閾値以上の場合には、前記発光素子に対して、１フレーム期間中の駆動電流を固定して、点灯時間を算出された輝度に応じて制御し、前記輝度が前記第１の閾値に満たない場合には、前記発光素子に対して、１フレーム期間中の前記点灯時間を固定して、前記駆動電流を算出された輝度に応じて制御する。
【図面の簡単な説明】
【０００７】
【図１】実施形態に係る液晶表示装置が搭載されるテレビジョン受像機の構成を示すブロック図。
【図２】第１の実施形態に係る液晶表示装置の構成を示すブロック図。
【図３】図２に示す駆動電流・点灯時間決定部の駆動電流決定処理を具体的に説明するためのフローチャート。
【図４】図２に示す駆動電流・点灯時間決定部の点灯時間決定処理を具体的に説明するためのフローチャート。
【図５】第１の実施形態のバックライト駆動部による明るさ制御方法を示す図。
【図６】第１の実施形態のバックライト駆動部による駆動電流制御と点灯時間制御の概要を説明するための図。
【図７】第２の実施形態に係る液晶表示装置において、駆動電流決定処理を具体的に説明するためのフローチャート。
【図８】第２の実施形態に係る液晶表示装置において、点灯時間決定処理を具体的に説明するためのフローチャート。
【図９】第２の実施形態のバックライト駆動部による駆動電流制御と点灯時間制御の概要を説明するための図。
【図１０】第３の実施形態に係る液晶表示装置の構成を示すブロック図。
【図１１】図１０に示す駆動電流・点灯時間決定部の駆動電流決定処理を具体的に説明するためのフローチャート。
【図１２】図１０に示す駆動電流・点灯時間決定部の点灯時間決定処理を具体的に説明するためのフローチャート。
【発明を実施するための形態】
【０００８】
以下、図面を参照して、本発明の実施の一形態について説明する。
【０００９】
図１は、実施形態に係る液晶表示装置が搭載されるテレビジョン受像機の構成を示すブロック図である。図１において、ＴＶチューナ１１は、図示しないアンテナからのデジタル放送波の受信信号を入力して指定チャンネルの放送信号を選局する。選局された放送信号は復調・復号部１２に送られる。この復調・復号部１２は、入力された放送信号に対して復調処理、誤り訂正復号処理を施してＴＳ（Transport Stream）信号に変換する。このＴＳ信号は映像・音声分離部１３に送られる。この映像・音声分離部１３は、入力されたＴＳ信号を音声ストリームと音声ストリームに分離する。分離された映像信号は映像デコーダ１４で映像ストリームから所定の解像度の映像データに変換されて液晶表示装置１５に送られ、液晶表示パネルに映像として表示される。また、分離された音声信号は、音声デコーダ１６で音声ストリームから指定モードの音声データに変換されて音声出力装置１７に送られ、スピーカにより音響再生される。
【００１０】
以下、上記構成のテレビジョン受像機に適用される第１乃至第３の実施形態の液晶表示装置について説明する。
【００１１】
（第１の実施形態）
図２は、第１の実施形態に係る液晶表示装置１５の具体的な構成を示すブロック図である。図２において、１５１は一対の基板に挟まれた液晶層を有し、表示画面内に規定個数の液晶セルを縦横に配列した液晶表示パネル、１５２は液晶表示パネル１５１の背面に配置され、表示画面内を水平、垂直方向に複数のエリアに分割し、エリア毎にＬＥＤを配列して輝度の調整を可能とするバックライト基板である。
【００１２】
入力映像データは液晶駆動部１５３及びバックライト駆動部１５４に送られる。液晶駆動部１５３は、液晶表示パネル１５１の各セルに映像データの各画素に対応する駆動信号を供給して各セルの透過量を制御する。バックライト駆動部１５４は、バックライト基板１５２の各エリアに配置されたＬＥＤに映像データから対応エリアの輝度を計算し、その輝度に相当する明るさとなるようにＬＥＤを駆動する。
【００１３】
上記バックライト駆動部１５４において、輝度算出部１５４１は、入力映像データの映像を元に各エリアのバックライトの輝度を算出する。駆動電流・点灯時間決定部１５４２は、エリア毎に算出された輝度を元に、各エリアの１フレーム期間中のＬＥＤの駆動電流と点灯時間を決定する。駆動電流制御部１５４３は、各エリアのＬＥＤに対する駆動電流を決定部１５４２で決定された値に基づいて制御する。点灯時間制御部１５４４は、駆動電流制御部１５４３の後段に配置したＯＮ／ＯＦＦ切替部１５４５に、各エリアのＬＥＤに供給する駆動電流を決定部１５４２で決定された１フレーム期間中の点灯時間に基づいてＯＮ／ＯＦＦ切替信号を送る。このようにして、各エリアのＬＥＤの駆動電流、点灯時間を算出された輝度となるように制御する。
【００１４】
図３は図２の駆動電流・点灯時間決定部１５４２の駆動電流決定処理を具体的に説明するためのフローチャートである。図３において、輝度算出部１５４１で各エリアの輝度計算結果Ｌが得られると（ステップＳ１１）、輝度計算結果Ｌが低輝度に入るか否かを判断するための閾値Ｔｈと比較する（ステップＳ１２）。各エリアにおいて、輝度計算結果Ｌが閾値Ｔｈ以上（Ｙｅｓ）の場合は、ＬＥＤの駆動電流を最大値等に固定して固定電流値とする（ステップＳ１３）。閾値Ｔｈより小さい（Ｎｏ）場合は、予め求められた輝度−電流特性に従って駆動電流値を増減する（輝度−電流変換）（ステップＳ１４）。この輝度−電流変換にはＬＵＴ（Look up Table）等を用いて行う方法がある。
【００１５】
図４は図２の駆動電流・点灯時間決定部１５４２の点灯時間決定処理を具体的に説明するためのフローチャートである。図４において、輝度算出部１５４１で各エリアの輝度計算結果Ｌが得られると（ステップＳ２１）、輝度計算結果Ｌが低輝度に入るか否かを判断するための閾値Ｔｈと比較する（ステップＳ２２）。各エリアにおいて、輝度計算結果Ｌが閾値Ｔｈ以上（Ｙｅｓ）の場合は、ＬＥＤの１フレーム期間中の点灯時間を予め求められた輝度−点灯時間特性に従って増減する（輝度−点灯時間変換）（ステップＳ２３）。閾値Ｔｈより小さい（Ｎｏ）場合は、最小値等に固定して固定点灯時間とする（ステップＳ２４）。
【００１６】
すなわち、本実施形態では、図５に示すように、駆動電流で明るさを制御する方法と点灯時間で明るさを制御する方法を併せ持つハイブリッド制御方式を採用する。図５で、仮に駆動電流とＬＥＤの明るさ、点灯時間とＬＥＤの明るさが比例関係にあるとすると、図の四角で囲まれた領域が１フレーム期間中の明るさを表す。そして、図６に示すように、中・高輝度領域（輝度が閾値Ｔｈ以上）では、点灯時間制御（駆動電流固定）を選択し、低輝度領域（輝度が閾値Ｔｈ未満）で駆動電流制御（点灯時間固定）を選択するようにしている。ＬＥＤによる液晶バックライトの明るさ調整において、１フレーム期間内のＬＥＤの点灯時間を制御する方法では、点灯時間が短くなるに従って安定した輝度での調光が難しくなるといった課題があるが、低輝度領域においては安定した発光が可能な固定の最小点灯時間とし、点灯時間制御を中・高輝度領域に制限しているため、輝度を安定して調光することができる。また、ＬＥＤの駆動電流を制御する方法では、電流の変化に応じて色度が変動するといった課題があるが、色度の変動を知覚しやすい中〜高輝度領域においては固定の電流値とし、電流制御を低輝度領域に制限しているため、色度変動の主観的な影響を小さくすることができる。これにより、中間〜高輝度にかけては点灯時間制御を行うことで色度の変動を抑えることができ、暗部においては輝度を低くして、輝度のダイナミックレンジを広くすることができる。
【００１７】
したがって、本実施形態に係る液晶表示装置によれば、ＬＥＤによる液晶バックライトの明るさ調整において、中間〜高輝度にかけての色度の変化を抑えつつ、低輝度まで安定した調光を可能とし、これによって輝度のダイナミックレンジを広くすることができる。
【００１８】
（第２の実施形態）
第２の実施形態では、輝度と比較する閾値を２段階に設定し、よりなだらかに明るさを調整する。本実施形態に係る液晶表示装置１５の具体的な構成は、図２に示した第１の実施形態の場合と同様なので、ここではその説明を省略する。
【００１９】
図７は、第２の実施形態において、駆動電流・点灯時間決定部１５４２の駆動電流決定処理を具体的に説明するためのフローチャートである。図７において、輝度算出部１５４１で各エリアの輝度計算結果Ｌが得られると（ステップＳ３１）、輝度計算結果Ｌを第１の閾値Ｔｈ１より大きい第２の閾値Ｔｈ２と比較する（ステップＳ３２）。各エリアにおいて、輝度計算結果Ｌが第２の閾値Ｔｈ２以上（Ｙｅｓ）の場合は、予め求められた第１の輝度−電流特性に従って駆動電流値を増減する（第１の輝度−電流変換）（ステップＳ３３）。第２の閾値Ｔｈ２より小さい（Ｎｏ）場合は、第１の閾値Ｔｈ１と比較する（ステップＳ３４）。各エリアにおいて、輝度計算結果Ｌが第１の閾値Ｔｈ１以上（Ｙｅｓ）の場合は、ＬＥＤの駆動電流を最大値等に固定して固定電流値とする（ステップＳ３５）。第１の閾値Ｔｈ１より小さい（Ｎｏ）場合は、予め求められた第２の輝度−電流特性に従って駆動電流値を増減する（第２の輝度−電流変換）（ステップＳ３６）。
【００２０】
図８は、第２の実施形態において、駆動電流・点灯時間決定部１５４２の点灯時間決定処理を具体的に説明するためのフローチャートである。図８において、輝度算出部１５４１で各エリアの輝度計算結果Ｌが得られると（ステップＳ４１）、輝度計算結果Ｌを第１の閾値Ｔｈ１より大きい第２の閾値Ｔｈ２と比較する（ステップＳ４２）。各エリアにおいて、輝度計算結果Ｌが第２の閾値Ｔｈ２以上（Ｙｅｓ）の場合は、最大値等に固定して第１の固定点灯時間とする（ステップＳ４３）。第２の閾値Ｔｈ２より小さい（Ｎｏ）場合は、第１の閾値Ｔｈ１と比較する（ステップＳ４４）。各エリアにおいて、輝度計算結果Ｌが第１の閾値Ｔｈ１以上（Ｙｅｓ）の場合は、ＬＥＤの１フレーム期間中の点灯時間を予め求められた輝度−点灯時間特性に従って増減する（輝度−点灯時間変換）（ステップＳ４５）。第１の閾値Ｔｈ１より小さい（Ｎｏ）場合は、最小値等に固定して第２の固定点灯時間とする（ステップＳ４６）。
【００２１】
すなわち、本実施形態では、図９に示すように、高輝度領域（輝度が第２の閾値Ｔｈ２以上）では、固定の最大点灯時間として駆動電流制御を選択し、色度の変動を知覚しやすい中輝度領域（輝度が第２の閾値未満第１の閾値以上）の場合は、駆動電流を固定して点灯時間制御を選択し、低輝度領域（輝度が第１の閾値Ｔｈ未満）で安定した発光が可能な固定の最小点灯時間として駆動電流制御を選択するようにしている。この場合、高輝度領域と低輝度領域で駆動電流制御を採用しているので、それぞれの領域における色度変動の主観的な影響を小さくすることができる。また、中間輝度領域では、点灯時間制御しているため、輝度を安定して調光することができる。
【００２２】
したがって、本実施形態に係る液晶表示装置によれば、ＬＥＤによる液晶バックライトの明るさ調整において、低輝度から高輝度まで、色度の変化を抑えつつ、安定した調光を可能とし、これによって輝度のダイナミックレンジを広くすることができる。
【００２３】
（第３の実施形態）
第３の実施形態では、図２に示した第１の実施形態の処理に加え、全画面のバックライト点灯輝度を加算し、それを元にバックライトの消費電力を求め、その消費電力が規定の電源容量未満の状態で、駆動電流制御、点灯時間制御を適切に切り換えることを特徴とする。
【００２４】
図１０は第３の実施形態に係る液晶表示装置１５の具体的な構成を示すブロック図である。尚、図１０において、図２と同一部分には同一符号を付して示し、ここでは重複する説明を省略する。
【００２５】
図１０に示すバックライト駆動部１５４では、消費電力計算部１５４６により、輝度算出部１５４１で算出されたエリア毎の輝度値を入力して全画面における点灯輝度を加算し、その加算結果を元にバックライトの消費電力を計算する。駆動電流・点灯時間決定部１５４２は、エリア毎に算出された輝度と共に全画面加算部１５４６で得られたバックライト消費電力を元に、各エリアの１フレーム期間中のＬＥＤの駆動電流と点灯時間を決定する。具体的には、計算された輝度が閾値以上の場合において、消費電力が規定の電源容量以内に収まっているときは、駆動電流を固定して第１の輝度−点灯時間特性により点灯時間を制御する。また、計算された輝度が閾値に満たない場合には、点灯時間を第２の時間に固定して第２の輝度−駆動電流特性により駆動電流を制御する。
【００２６】
図１１は駆動電流・点灯時間決定部１５４２の駆動電流決定処理を具体的に説明するためのフローチャートである。図１１において、輝度算出部１５４１で各エリアの輝度計算結果Ｌが得られると（ステップＳ５１）、輝度計算結果Ｌが低輝度に入るか否かを判断するための閾値Ｔｈ１と比較する（ステップＳ５２）。
【００２７】
各エリアにおいて、輝度計算結果Ｌが閾値Ｔｈ１以上（Ｙｅｓ）の場合は、消費電力計算部１５４６で計算された全画面の輝度に基づく消費電力と規定の電源容量とを比較する（ステップＳ５３）。ここで、Ｌが閾値Ｔｈ１より高い閾値Ｔｈ２未満か否かを判断し（ステップＳ５４）、Ｔｈ２未満ならば（Ｎｏ）、ＬＥＤの駆動電流を固定し（ステップＳ５５）、消費電力が電源容量未満で、かつＬが閾値Ｔｈ２以上ならば（Ｙｅｓ）、ＬＥＤの駆動電流を予め求められた第１の輝度−電流特性に従って駆動電流値を増減する（ステップＳ５６）。
【００２８】
また、ステップＳ５２において、閾値Ｔｈ１より小さい（Ｎｏ）場合は、予め求められた第２の輝度−電流特性に従って駆動電流値を増減する（ステップＳ５７）。
【００２９】
図１２は駆動電流・点灯時間決定部１５４２の点灯時間決定処理を具体的に説明するためのフローチャートである。図１２において、輝度算出部１５４１で各エリアの輝度計算結果Ｌが得られると（ステップＳ６１）、輝度計算結果Ｌが低輝度に入るか否かを判断するための閾値Ｔｈと比較する（ステップＳ６２）。
【００３０】
各エリアにおいて、輝度計算結果Ｌが閾値Ｔｈ１以上（Ｙｅｓ）の場合は、消費電力計算部１５４６で計算された全画面の輝度に基づく消費電力とＬＥＤ駆動電源の電源容量とを比較する（ステップＳ６３）。ここで、Ｌが閾値Ｔｈ１より高い閾値Ｔｈ２未満か否かを判断し（ステップＳ６３）、ＬがＴｈ２より低ければ（Ｙｅｓ）、点灯時間を予め求められた輝度−点灯時間特性に従って増減する（ステップＳ６４）。また、Ｌが閾値Ｔｈ２以上ならば（Ｙｅｓ）、１フレーム期間の点灯時間を第１の時間に固定する（ステップＳ６６）。
【００３１】
また、ステップＳ６２において、閾値Ｔｈ１より小さい（Ｎｏ）場合は、点灯時間を第２の時間に固定する（ステップＳ６７）。
【００３２】
図１１、１２はＬがＴｈ２以上で電源容量未満のとき、駆動電流を増加させることとしているが、Ｌ＝Ｔｈ２に対応する点灯時間を予め最大より小さく設定しておき、ＬがＴｈ２以上で電下容量未満のときに、さらに点灯時間を増加させることとして問題ない。
【００３３】
したがって、上記実施形態に係る液晶表示装置によれば、第１の実施形態と同様に処理することで、中間〜高輝度にかけての色度の変化を抑えつつ、輝度のダイナミックレンジを広げて、安定した輝度でのバックライトの調光をすることができる。さらに、消費電力が電源容量未満で高輝度表示を行う場合には、駆動電流を増加させることで、さらに高輝度な表示が可能となる。これにより、電源容量の満たす範囲でのさらなる高輝度表示を可能としながら、低輝度から高輝度まで安定した輝度でのバックライトの調光を行うことができる。
【００３４】
尚、各実施形態において、各エリアのバックライトの輝度を算出した後、どのように電流、点灯時間の割り振りを行うかはこの限りではない。
【００３５】
以上のように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１１…ＴＶチューナ、１２…復調・復号部、１３…映像・音声分離部、１４…映像デコーダ、１５…液晶表示装置、１５１…液晶表示パネル、１５２…バックライト基板、１５３…液晶駆動部、１５４…バックライト駆動部、１５４１…輝度算出部、１５４２…駆動電流・点灯時間決定部、１５４３…駆動電流制御部、１５４４…点灯時間制御部、１５４５…ＯＮ／ＯＦＦ切替部、１５４６…消費電力計算部、１６…音声デコーダ、１７…音声出力装置。
【図１】
2017076027.tif 000003
【図２】
2017076027.tif 000004
【図３】
2017076027.tif 000005
【図４】
2017076027.tif 000006
【図５】
2017076027.tif 000007
【図６】
2017076027.tif 000008
【図７】
2017076027.tif 000009
【図８】
2017076027.tif 000010
【図９】
2017076027.tif 000011
【図１０】
2017076027.tif 000012
【図１１】
2017076027.tif 000013
【図１２】
2017076027.tif 000014